【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
物品と、選択的透過性保護構造とを含むパッケージであって、
前記物品が前記構造によりラップまたは被覆され、
前記構造が選択的透過性膜および基板を含むか、あるいは選択的透過性膜および基板から製造され、
前記膜が、アイオノマー、有機酸またはその塩、および場合により任意的なポリマーを含む組成物を含むか、あるいは前記組成物から製造され、
前記膜が、少なくとも８００ｇ−ｍｉｌ／ｍ2／２４ｈの水蒸気透過値および少なくとも１５０ｃｍＨ2Ｏの水の浸入圧を有し、
前記アイオノマーが、１つまたは複数のエチレン酸コポリマーから誘導され、
前記酸コポリマーが、エチレン、少なくとも１つのＣ3〜Ｃ8α，β−エチレン性不飽和カルボン酸、および軟化コモノマーから誘導され、
前記有機酸が、４〜３６個の炭素原子を有する１つまたは複数のカルボン酸であり、
前記酸コポリマーおよび前記有機酸中の合わせた酸性基の少なくとも５０％が金属イオンによって対応する塩へ名目上中和されており、前記金属イオンの少なくとも５０％がアルカリ金属イオンであり、
前記構造が、少なくとも５００ｇ／ｍ2／２４ｈの水蒸気透過速度を有し、
前記基板が織物または多孔質シート材料を含み、前記組成物が前記基板上にコーティングされるか、あるいは前記基板内に含浸されており、そして
前記基板および前記選択的透過性構造が重なり合っているパッケージ。
【請求項２】
前記構造が、アラミド、ガラス繊維、またはこれらの組み合わせの布地を含む層をさらに含み、
前記基板が、１つまたは複数の多孔質フィルム、ポリウレタンフィルム、フラッシュ紡糸不織布、合成繊維、天然繊維の織布、スクリム、フラッシュ紡糸ポリプロピレン、またはフィルター材料であり、
前記金属イオンの少なくとも５０％がナトリウムイオンまたはカリウムイオンであり、そして
前記組成物が前記基板に含浸されるか、前記基板に組み込まれるか、あるいは前記基板に積層された、請求項１に記載のパッケージ。
【請求項３】
前記構造が、少なくとも４Ｋｇ／ｍ2／２４時間、５Ｋｇ／ｍ2／２４時間、または１０Ｋｇ／ｍ2／２４時間の水蒸気透過速度を有し、
前記有機酸またはその塩が組成物中に１〜５０重量％存在し、３６個よりも少ない炭素原子を有する１つまたは複数の飽和または不飽和一塩基性を含み、
前記酸コポリマーおよび有機酸中の酸部分の１００％がアルカリ金属により中和されており、
前記基板が、１つまたは複数のフラッシュ紡糸ポリプロピレン、合成繊維の織布、または天然繊維の織布であり、
前記金属イオンが主にカリウムイオンであり、そして
前記パッケージが、場合により、少なくとも１つの断熱層、緩衝層、または織物層をさらに含む、請求項２に記載のパッケージ。
【請求項４】
物品を選択的透過性保護構造内にラップまたは被覆することを含み、腐食またはカビの増殖による前記物品への損傷を制限または低減する方法であって、
前記構造が選択的透過性膜および支持基板を含み、前記膜が少なくとも８００ｇ−ｍｉｌ／ｍ2／２４ｈの水蒸気透過速度および少なくとも１５０ｃｍＨ2Ｏの水の浸入圧を有し、前記組成物が請求項１〜３のいずれか一項に記載の組成物であることを特徴とし、前記構造が少なくとも５００ｇ／ｍ2／２４ｈの水蒸気透過速度を有する方法。
【請求項５】
物品をラップまたは梱包して、輸送および貯蔵の間の前記物品の表面損傷を防止するための、請求項１〜３のいずれか一項に記載のパッケージであることを特徴とするパッケージの使用。
【手続補正２】
【補正対象書類名】明細書
【補正対象項目名】０１４２
【補正方法】変更
【補正の内容】
【０１４２】
この試験によって、より高い水透過フィルムは、低水透過フィルムと比較してより良好な腐食保護を提供することが示された。腐食の深刻度はフィルムの水分透過値に反比例した。
次に、本発明の態様を示す。
1.  物品と、選択的透過性保護構造体と、支持基板とを含むパッケージであって、
前記構造体が選択的透過性膜を含むか、あるいは選択的透過性膜から製造され、
前記膜が、アイオノマー、有機酸またはその塩、および場合により任意的なポリマーを含む組成物を含むか、あるいは前記組成物から製造され、
前記膜が、少なくとも８００ｇ−ｍｉｌ／ｍ2／２４ｈの水蒸気透過値および少なくとも１５０ｃｍＨ2Ｏの水の浸入圧を有し、
前記アイオノマーが、１つまたは複数のエチレン酸コポリマーから誘導され、
前記酸コポリマーが、エチレン、少なくとも１つのＣ3〜Ｃ8α，β−エチレン性不飽和カルボン酸、および軟化コモノマーから誘導され、
前記有機酸が、４〜３６個の炭素原子を有する１つまたは複数のカルボン酸であり、
前記酸コポリマーおよび前記有機酸中の合わせた酸性基の少なくとも５０％が金属イオンによって対応する塩へ名目上中和されており、前記金属イオンの少なくとも５０％がアルカリ金属イオンであり、
前記構造体が、少なくとも５００ｇ／ｍ2／２４ｈの水蒸気透過速度を有し、
前記基板が織物または多孔質シート材料を含み、前記組成物が前記基板上にコーティングされるか、あるいは前記基板内に含浸されており、そして
前記基板および前記選択的透過性構造体が重なり合っているパッケージ。
2.  前記構造体が、アラミド、ガラス繊維、またはこれらの組み合わせの布地を含む層をさらに含む、上記１に記載のパッケージ。
3.  前記基板が、１つまたは複数の多孔質フィルム、ポリウレタンフィルム、フラッシュ紡糸不織布、合成繊維、天然繊維の織布、スクリム、またはフィルター材料である、上記１または２に記載のパッケージ。
4.  前記基板が、１つまたは複数のフラッシュ紡糸ポリプロピレンまたは合成繊維もしくは天然繊維の織布である、上記２に記載のパッケージ。
5.  前記構造体が少なくとも５００ｇ／ｍ2／２４ｈの水蒸気透過速度を有し、前記金属イオンの少なくとも５０％がナトリウムイオンまたはカリウムイオンであり、前記組成物が前記基板に含浸されるか、前記基板に組み込まれるか、あるいは前記基板に積層された、上記１〜４のいずれか一項に記載のパッケージ。
6.  前記構造体が少なくとも４Ｋｇ／ｍ2／２４時間、５Ｋｇ／ｍ2／２４時間、または１０Ｋｇ／ｍ2／２４時間の水蒸気透過速度を有し、前記有機酸またはその塩が組成物中に１〜５０重量％存在し、３６個よりも少ない炭素原子を有する１つまたは複数の飽和または不飽和一塩基性を含む、上記５に記載のパッケージ。
7.  前記酸コポリマーおよび有機酸中の酸部分の１００％が前記アルカリ金属により中和されており、前記基板が１つまたは複数のフラッシュ紡糸ポリプロピレン、合成繊維、または天然繊維の織布であり、そして前記金属イオンが主にカリウムイオンである、上記６に記載のパッケージ。
8.  少なくとも１つの断熱層、緩衝層、または織物層をさらに含む、上記１〜７のいずれか一項に記載のパッケージ。
9.  物品を選択的透過性保護構造体内にラップまたは被覆することを含み、腐食またはカビの増殖による前記物品への損傷を制限または低減する方法であって、
前記構造体が選択的透過性膜および場合により支持基板を含み、前記膜が少なくとも８００ｇ−ｍｉｌ／ｍ2／２４ｈの水蒸気透過速度および少なくとも１５０ｃｍＨ2Ｏの水の浸入圧を有し、前記組成物が上記１に記載の組成物であることを特徴とし、前記構造体が少なくとも５００ｇ／ｍ2／２４ｈの水蒸気透過速度を有する方法。
10.  物品をラップまたは梱包して、輸送および貯蔵の間の前記物品の表面損傷を防止するための、上記１〜８のいずれか一項に記載のパッケージであることを特徴とするパッケージの使用。